(57)【要約】【課題】  弁体が傾斜したり振動したりしないようにする。【解決手段】  弁本体４で入口１０と出口１１を形成し、入口１０と出口１１を連通する弁口１２を形成した弁座部材１３を弁本体４に取り付け、弁座部材１３に離着座して弁口１２を開閉する弁体１４を弁口１２の出口１１側に配置し、弁体１４を開閉操作する弁軸１５を弁体１４の出口１１側に連結し、弁口１２の下方に円筒状の隔壁２１を設け、隔壁２１の外側に旋回羽根２４を設け、旋回羽根２４の上方に入口１０を連結し、弁体１４の弁座部材１３とのシート面１６の内側に弁体１４の中心軸の回りに回転対象に下方に向かって小径となる円柱突起１７を形成する。【選択図】      図１
2005257043.tif 000002
【特許請求の範囲】
【請求項１】
弁ケーシングで入口と出口を形成し、入口と出口を連通する弁口を形成した弁座部材を弁ケーシングに取り付け、弁座部材に離着座して弁口を開閉する弁体を弁口の出口側に配置し、弁体を開閉操作する弁軸を弁体の出口側に連結し、弁口の下方に円筒状の隔壁を設け、隔壁の外側に旋回羽根を設け、旋回羽根の上方に入口を連結したものにおいて、弁体の弁座部材とのシート面の内側に弁体の中心軸の回りに回転対象に下方に向かって小径となる円柱突起を形成したことを特徴とする気液分離器を備えた弁。
【発明の詳細な説明】
【技術分野】
【０００１】
本発明は、蒸気や圧縮空気等の気体配管系に取り付けて、気体の流れを閉止したり制御したりするための弁に関し、特に、弁の内部に気液分離器を一体に備えて気体中に混入している液体を分離できるものに関する。
【背景技術】
【０００２】
従来の気液分離器を備えた弁は、弁ケーシングで入口と出口を形成し、入口と出口を連通する弁口を形成した弁座部材を弁ケーシングに取り付け、弁座部材に離着座して弁口を開閉する平板状の弁体を弁口の出口側に配置し、弁体を開閉操作する弁軸を弁体の出口側に連結し、弁口の下方に円筒状の隔壁を設け、隔壁の外側に旋回羽根を設け、旋回羽根の上方に入口を連結したものである。
【０００３】
上記従来の気液分離器を備えた弁は、入口から流入する流体を隔壁の外側の旋回羽根で旋回せしめ、遠心力の作用で質量の大きい液体と異物を外側に振り出して下方に流下せしめ、質量の小さい気体のみを隔壁の下端開口から上方の弁口に向かわせ、平板状の弁体で気体の流れを閉止したり制御したりする。しかしながら、平板状の弁体は弁口を通過する気体流により傾斜したり振動したりする問題点があった。
【特許文献１】特開昭６２−６７３９５号公報
【発明の開示】
【発明が解決しようとする課題】
【０００４】
解決しようとする課題は、弁体が傾斜したり振動したりしないようにすることである。
【課題を解決するための手段】
【０００５】
本発明は、弁ケーシングで入口と出口を形成し、入口と出口を連通する弁口を形成した弁座部材を弁ケーシングに取り付け、弁座部材に離着座して弁口を開閉する弁体を弁口の出口側に配置し、弁体を開閉操作する弁軸を弁体の出口側に連結し、弁口の下方に円筒状の隔壁を設け、隔壁の外側に旋回羽根を設け、旋回羽根の上方に入口を連結したものにおいて、弁体の弁座部材とのシート面の内側に弁体の中心軸の回りに回転対象に下方に向かって小径となる円柱突起を形成したことを特徴とする。
【発明の効果】
【０００６】
本発明は、弁体が傾斜したり振動したりしないので、弁体や弁軸の摺接部の磨耗が少なく騒音が小さくなるという優れた効果を生じる。
【発明を実施するための最良の形態】
【０００７】
本発明の気液分離器を備えた弁は、弁体の弁座部材とのシート面の内側に弁体の中心軸の回りに回転対象に下方に向かって小径となる円柱突起を形成したものである。そのため、
弁口を通過する気体流は円柱突起の表面に沿って滑らかに流れる。また、円柱突起は弁口を通過する気体流に対して自ら中心に位置する。すなわち、円柱突起が気体流の中心軸上にあるときは全周囲の流速が同じであるが、側方に偏位すると流速が周上で不均一となり、円柱突起を中心軸上に押し戻すように静圧が分布する。したがって、弁体が傾斜したり振動したりしない。
【実施例１】
【０００８】
上記の技術的手段の具体例を示す実施例を説明する（図１と図２参照）。本実施例は調節弁１に気液分離器２と自動排液弁３を組み合わせたものである。弁ケーシングは弁本体４と、仕切部材５を間に挟んで弁本体４に締結される上蓋６と、仕切部材５と上蓋６を弁本体４に締結する上蓋フランジ７と、弁本体４に締結する排液弁本体８と、排液弁本体８に締結する下蓋９とから形成する。弁本体４に入口１０と出口１１を形成する。入口１０と出口１１を連通する弁口１２を形成した弁座部材１３を弁本体４の横断壁にねじ結合する。弁座部材１３に離着座して弁口１２を開閉する弁体１４を弁口１２の出口１１側に配置する。弁体１４を開閉操作する弁軸１５を弁体１４の出口側に一体に形成する。弁体１４の弁座部材１３とのシート面１６の内側に弁体１４の中心軸の回りに回転対象に下方に向かって小径となる円柱突起１７を形成する。弁口１２の中心軸と弁体１４及び弁軸１５の中心軸は同一軸上に形成する。弁軸１５の上部は仕切部材５と上蓋６を貫通して突出する。弁軸１５と上蓋６の間にコイルバネ１８とパッキング１９を配置し、上蓋６にパッキング押え２０をねじ結合する。
【０００９】
排液弁本体８の上面内端に二重のほぼ円筒形状の隔壁２１を載せ、隔壁２１を弁本体４との間で固定する。隔壁２１の外側円筒は真直ぐな形状で内側円筒よりも低く形成する。外側円筒は省略して弁本体４で兼用することもできる。隔壁２１の内側円筒は上端部が上方に向かって緩やかに拡がり、下端部が下方に向かって緩やかに拡がった形状である。隔壁２１の中心軸は弁口１２の中心軸と同一軸上に形成する。隔壁２１の外側円筒の上面外端にテーパー状のスクリーン２２を載せ、隔壁２１の内側円筒の上端外周との間で固定する。隔壁２１の内外円筒の間に形成される環状空間２３に、隔壁２１と一体に旋回羽根２４を形成する。入口１０はスクリーン２２を通して下方の環状空間２３に連結し、隔壁２１の内側円筒の内側は上方の弁口１２に連結する。
【００１０】
隔壁２１の下方に自動排液弁としての中空球形の弁フロート２５を配置する。弁フロート２５は液位に応じて浮上降下して排液弁口２６を開閉し、液体だけを排液口２７から系外に排出する。弁フロート２５を逆カップ状のカバー２８で覆う。カバー２８は上部が半球状で周囲が円筒状であり、下端に外側に突出した足２９を有し、足２９を下蓋９に締結する。隔壁部材１７は下端に内外を連通する通液開口３０を有し、上部に内外を連通する２つの通気孔３１を有する。
【００１１】
入口１０から環状空間２３に入った流体は旋回羽根２４で旋回せしめられる。気体中の液滴は遠心力の作用で外側に振り出されて分離される。分離された液滴は排液弁本体８の内周壁に沿って流下し、弁フロート２５の浮上降下によって開閉される排液弁口２６を通して排液口６から系外に排出される。液滴の分離された気体は隔壁２１の内側円筒の下端から隔壁２１の内側円筒の内側を通して弁口１２に向かう。弁口１２を通過する気体流は弁体１４の円柱突起１７の表面に沿って滑らかに流れ、また円柱突起１７が気体流に対して自ら中心に位置するので、弁体１４が傾斜したり振動したりしない。
【図面の簡単な説明】
【００１２】
【図１】本発明の気液分離器を備えた弁の断面図。
【図２】図１の弁体の拡大正面図。
【符号の説明】
【００１３】
１  調節弁
２  気液分離器
３  自動排液弁
４  弁本体
６  上蓋
８  排液弁本体
９  下蓋
１０  入口
１１  出口
１２  弁口
１３  弁座部材
１４  弁体
１５  弁軸
１６  シート面
１７  円柱突起
２１  隔壁
２３  環状空間
２４  旋回羽根
２５  弁フロート
２６  排液弁口
２７  排液口
【図１】
2005257043.tif 000003
【図２】
2005257043.tif 000004